(57)【要約】【解決課題】シリンダボア壁の壁温の均一性が高い内燃機関を提供すること。【解決手段】溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなるシリンダボア壁の保温具。【選択図】図４
2015203312.tif 000002
【特許請求の範囲】
【請求項１】
シリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、からなるか、又は一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴するシリンダボア壁の保温具。
【請求項２】
３つ以上のシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴する請求項１記載のシリンダボア壁の保温具。
【請求項３】
２つのシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するゴム部材端ボア部と、他端の端ボアのボア壁を保温するゴム部材端ボア部と、からなり、
該金属基体部材は、一端の端ボアのボア壁側から他端の端ボアのボア壁側まで繋がっており、
該弾性部材が、金属基体部材端ボア部毎に、１つ以上付設されていること、
を特徴する請求項１記載のシリンダボア壁の保温具。
【請求項４】
前記金属基体部材及び前記弾性部材が、金属板の一体成形物であることを特徴とする請求項１〜３いずれか１項記載のシリンダボア壁の保温具。
【請求項５】
シリンダブロックの冷却水供給口の近傍の位置に付設され、外部から供給される冷却水が、溝状冷却水流路の上部に流れ込むように、冷却水の流れを調節するための冷却水流れ調節部材を有することを特徴とする請求項１〜４いずれか１項記載のシリンダボア壁の保温具。
【請求項６】
前記シリンダボア壁の保温具の上部に、冷却水の流れ方向に亘って付設され、溝状冷却水流路の上部を流れる冷却水が、中下部に流れ込むのを抑制するための横リブを有することを特徴とする請求項５記載のシリンダボア壁の保温具。
【請求項７】
前記シリンダボア壁の保温具の上下方向に亘って付設され、溝状冷却水流路の中下部を流れる冷却水の流れを抑制するための縦リブを有することを特徴とする請求項５又は６いずれか１項記載のシリンダボア壁の保温具。
【請求項８】
溝状冷却水流路の中下部のシリンダボア側の全壁面のうちの一方の片側半分側の壁面と他方の片側半分側の壁面の両方に、請求項１〜７いずれか１項記載のシリンダボア壁の保温具が設置されていることを特徴とする内燃機関。
【請求項９】
溝状冷却水流路の中下部のシリンダボア側の全壁面のうちのいずれか一方の片側半分側の壁面にのみ、請求項１〜７いずれか１項記載のシリンダボア壁の保温具が設置されていることを特徴とする内燃機関。
【請求項１０】
請求項８又は９いずれか１項記載の内燃機関を有することを特徴とする自動車。
【発明の詳細な説明】
【技術分野】
【０００１】
本発明は、内燃機関のシリンダブロックのシリンダボア壁の溝状冷却水流路側の壁面に接触させて配置される保温具及びそれを備える内燃機関並びに該内燃機関を有する自動車に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【先行技術文献】
【特許文献】
【０００５】
【特許文献１】特開２００８−３１９３９号公報（特許請求の範囲）
【発明の開示】
【発明が解決しようとする課題】
【０００６】
ところが、引用文献１の内燃機関冷却用熱媒体流路区画部材によれば、ある程度のシリンダボア壁の壁温の均一化が図れるので、シリンダボア壁の上側と下側との熱変形量の違いを少なくすることができるものの、近年、更に、シリンダボア壁の上側と下側とで熱変形量の違いを少なくすることが求められている。
【０００７】
従って、本発明の課題は、シリンダボア壁の壁温の均一性が高い内燃機関を提供することにある。
【課題を解決するための手段】
【０００８】
本発明者らは、上記従来技術における課題を解決すべく、鋭意研究を重ねた結果、シリンダボア壁を保温するためのゴム部材を、溝状冷却水流路側のシリンダボア壁に接触するように設置して、冷却水がシリンダボア壁に直接接触するのを防止することにより、シリンダボア壁の壁温の均一化が図れることを見出し、本発明を完成させた。
【０００９】
すなわち、本発明（１）は、シリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、からなるか、又は一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴するシリンダボア壁の保温具を提供するものである。
【００１０】
また、本発明（２）は、３つ以上のシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、１つ以上の中間ボアのボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴する（１）のシリンダボア壁の保温具を提供するものである。
【００１１】
また、本発明（３）は、２つのシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半側側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、からなり、
該金属基体部材は、一端の端ボアのボア壁側から他端の端ボアのボア壁側まで繋がっており、
該弾性部材が、金属基体部材端ボア部毎に、１つ以上付設されていること、
を特徴する（１）のシリンダボア壁の保温具を提供するものである。
【００１２】
また、本発明（４）は、溝状冷却水流路の中下部のシリンダボア側の全壁面のうちの一方の片側半分側の壁面と他方の片側半分側の壁面の両方に、（１）〜（３）いずれかのシリンダボア壁の保温具が設置されていることを特徴とする内燃機関を提供するものである。
【００１３】
また、本発明（５）は、溝状冷却水流路の中下部のシリンダボア側の全壁面のうちのいずれか一方の片側半分側の壁面にのみ、（１）〜（３）いずれかのシリンダボア壁の保温具が設置されていることを特徴とする内燃機関を提供するものである。
【００１４】
また、本発明（６）は、本発明（４）又は（５）の内燃機関を有することを特徴とする自動車を提供するものである。
【発明の効果】
【００１５】
本発明によれば、内燃機関のシリンダボア壁の壁温の均一性を高くすることができる。そのため、本発明によれば、シリンダボア壁の上側と下側とで熱変形量の違いを少なくすることができる。また、本発明によれば、振動や冷却水の流れによる溝状冷却水流路内で位置ずれを起こし難い保温部を提供することができる。
【図面の簡単な説明】
【００１６】
【図１】本発明のシリンダボア壁の保温具が設置されるシリンダブロックの形態例を示す模式的な平面図である。
【図２】図１のｘ−ｘ線断面図である。
【図３】図１に示すシリンダブロックの斜視図である。
【図４】本発明のシリンダボア壁の保温具の形態例を示す模式的な斜視図である。
【図５】図４に示すシリンダボア壁の保温具を上側から見た平面図である。
【図６】図４に示すシリンダボア壁の保温具をゴム部材側から見た側面図である。
【図７】図４に示すシリンダボア壁の保温具を金属基体部材側から見た側面図である。
【図８】図１に示すシリンダブロック１１に、シリンダボア壁の保温具２０を設置する様子を示す模式図である。
【図９】図１に示すシリンダブロック１１に、２つのシリンダボア壁の保温具２０ａ、２０ｂが設置されている様子を示す模式図である。
【図１０】図９のｘ−ｘ線端面図である。
【図１１】シリンダボア壁の保温具の製造方法の形態例を示す模式図である。
【図１２】シリンダボア壁の保温具の製造方法の形態例を示す模式図である。
【図１３】シリンダボア壁の保温具の製造方法の形態例を示す模式図である。
【図１４】シリンダボア壁の保温具の製造方法の形態例を示す模式図である。
【図１５】シリンダボア壁の保温具の製造方法の形態例を示す模式図である。
【図１６】本発明のシリンダボア壁の保温具の他の形態例を示す模式図である。
【図１７】冷却水流れ調節部材の形態例を示す模式図である。
【図１８】横リブを有する形態例を示す模式図である。
【図１９】縦リブを有する形態例を示す模式図である。
【図２０】弾性部材の付設方法の他の形態例を示す模式図である。
【図２１】弾性部材の付設方法の他の形態例を示す模式図である。
【発明を実施するための形態】
【００１７】
本発明のシリンダボア壁の保温具及び本発明の内燃機関について、図１〜図１０を参照して説明する。図１〜図３は、本発明のシリンダボア壁の保温具が設置されるシリンダブロックの形態例を示すものであり、図１は、本発明のシリンダボア壁の保温具が設置されるシリンダブロックを示す模式的な平面図であり、図２は、図１のｘ−ｘ線断面図であり、図３は、図１に示すシリンダブロックの斜視図である。図４〜図７は、本発明のシリンダボア壁の保温具の形態例を示すものであり、図４は、本発明のシリンダボア壁の保温具の形態例を示す模式的な斜視図であり、図４（Ａ）は、ゴム部材側から見た斜視図であり、図４（Ｂ）は、金属基体部材側から見た斜視図であり、図５は、図４に示すシリンダボア壁の保温具を上側から見た平面図であり、図６は、図４に示すシリンダボア壁の保温具をゴム部材側から見た側面図であり、図７は、図４に示すシリンダボア壁の保温具を金属基体部材側から見た側面図である。図８は、図１に示すシリンダブロック１１に、シリンダボア壁の保温具２０を設置する様子を示す模式図であり、図９は、図１に示すシリンダブロック１１に、２つのシリンダボア壁の保温具２０ａ、２０ｂが設置されている様子を示す模式図であり、図１０は、図９のｘ−ｘ線端面図である。
【００１８】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００１９】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。
【００２０】
また、本発明では、溝状冷却水流路１４の壁面のうち、シリンダボア１３側の壁面を、溝状冷却水流路のシリンダボア側の壁面１７と記載し、溝状冷却水流路１４の壁面のうち、溝状冷却水流路のシリンダボア側の壁面１７とは反対側の壁面を壁面１８と記載する。
【００２１】
図４〜図７に示すシリンダボア壁の保温具２０は、金属基体部材２１と、ゴム部材２２と、金属板バネ部材２３と、からなる。
【００２２】
ゴム部材２２は、上から見たときに、４つの円弧が連続する形状に成形されており、ゴム部材２２の接触面２５側の形状は、溝状冷却水流路１４の中下部のシリンダボア側の壁面に沿う形状である。ゴム部材２２は、金属基体部材２１の上側及び下側に形成されている折り曲げ部２４が折り曲げられて、金属基体部材２１と折り曲げ部２４の間に挟み込まれることにより、金属基体部材２１に固定されている。ゴム部材２２では、金属基体部材２１側とは反対側のゴム部材２２の面が、溝状冷却水流路の中下部のシリンダボア側の壁面１７に接する接触面２５である。
【００２３】
金属基体部材２１は、上から見たときに、４つの円弧が連続する形状に成形されており、金属基体部材２１の形状は、ゴム部材２２の背面側（接触面２５側とは反対側の面）に沿う形状である。
【００２４】
シリンダボア壁の保温具２０のゴム部材２２は、溝状冷却水流路１４の中下部のボア側の壁面うち、一端の端ボア１２ａ１側の壁面に接するゴム部材端ボア部３５ａと、他端の端ボア１２ａ２側の壁面に接するゴム部材端ボア部３５ｂと、中間ボア１２ｂ１、１２ｂ２側の壁面に接するゴム部材中間ボア部３６ａ、３６ｂと、からなる。ゴム部材端ボア部３５ａは、一端の端ボア１２ａ１側の壁面を保温するためのゴム部材であり、ゴム部材端ボア部３５ｂは、他端の端ボア１２ａ２側の壁面を保温するためのゴム部材であり、ゴム部材中間ボア部３６ａ、３６ｂは、それぞれ、中間ボア１２ｂ１、１２ｂ２側の壁面を保温するためのゴム部材である。
【００２５】
シリンダボア壁の保温具２０の金属基体部材２１は、一端の端ボア１２ａ１側から他端の端ボア１２ａ２側までが１つの金属板で形成されている。よって、シリンダボア壁の保温具２０の金属基体部材２１は、一端の端ボア１２ａ１側の金属基体部材端ボア部３７ａと、中間ボア１２ｂ１、１２ｂ２側の金属基体部材中間ボア部３８ａ、３８ｂと、他端の端ボア１２ａ２側の金属基体部材端ボア部３７ｂとが、繋がっている。
【００２６】
金属基体部材２１には、金属基体部材２１と共に一体成形されることにより形成される金属板バネ部材２３が付設されている。この金属板バネ部材２３は、材質が金属であり且つ板状の弾性体である。そして、金属板バネ部材２３は、一端側２６が金属基体部材２１から離れるように、金属基体部材２１に繋がっている他端側２７で、金属基体部材２１から折り曲げられることにより、金属基体部材２１に付設されている。
【００２７】
シリンダボア壁の保温具２０は、例えば、図１に示すシリンダブロック１１の溝状冷却水流路１４の中下部に設置される。図８に示すように、シリンダボア壁の保温具２０を、シリンダブロック１１の溝状冷却水流路１４に挿入して、図９及び図１０に示すように、シリンダボア壁の保温具２０を、溝状冷却水流路１４の中下部に設置する。シリンダボア壁の保温具２０ａ、２０ｂは、それぞれ、ゴム部材２２ａ、２２ｂの形状が、溝状冷却水流路の中下部のシリンダボア側の全壁面１７のうちの片側半分の壁面１７ａ、１７ｂに沿った形状をしているので、シリンダボア壁の保温具２０ａは、片側半分の壁面１７ａ側に、シリンダボア壁の保温具２０ｂは、もう片側半分の壁面１７ｂ側に、それぞれ設置される。
【００２８】
このとき、シリンダボア壁の保温具２０では、ゴム部材２２の接触面２５から金属板バネ部材２３の一端側２６までの距離が、溝状冷却水流路１４の幅よりも大きくなるように、金属板バネ部材２３が付設されている。そのため、シリンダボア壁の保温具２０が、溝状冷却水流路１４の中下部に設置されると、金属板バネ部材２３が、金属基体部材２１及びゴム部材２２と壁面１８との間に挟まれることにより、金属板バネ部材２３の一端側２６には、金属基体部材２１に向かう方向に力が加えられる。このことにより、金属板バネ部材２３は、一端側２６が金属基体部材２１側に近づくように変形するので、金属板バネ部材２３には、元に戻ろうとする弾性力が生じる。そして、この弾性力により、金属基体部材２１は、溝状冷却水流路のシリンダボア側の壁面１７に向かって押され、その結果、金属基体部材２１により、ゴム部材２２が、溝状冷却水流路のシリンダボア側の壁面１７に押し付けられる。つまり、シリンダボア壁の保温具２０が、溝状冷却水流路１４の中下部に設置されることにより、金属板バネ部材２３が変形し、その変形が戻ろうとして生じる弾性力により、ゴム部材２２を溝状冷却水流路のシリンダボア側の壁面１７に押し付けるように、金属基体部材２１が付勢される。このようにして、シリンダボア壁の保温具２０ａは、ゴム部材２２ａが、溝状冷却水流路の中下部のシリンダボア側の全壁面１７のうちの一方の片側半分の壁面１７ａに接触し、シリンダボア壁の保温具２０ｂは、ゴム部材２２ｂが、溝状冷却水流路の中下部のシリンダボア側の全壁面１７のうちの他方の片側半分の壁面１７ｂに接触する。
【００２９】
なお、本発明において、溝状冷却水流路の中下部のシリンダボア側の全壁面のうちの片側半分側の壁面とは、溝状冷却水流路の中下部のシリンダボア側の壁面を、シリンダボアが並んでいる方向で垂直に二分割したときの片側の半分の壁面を指す。例えば、図９では、シリンダボアが並んでいる方向がｙ−ｙ方向であり、このｙ−ｙ線で垂直に二分割したときの片側半分の壁面のそれぞれが、溝状冷却水流路の中下部のシリンダボア側の全壁面のうちの片側半分の壁面である。つまり、図９では、ｙ−ｙ線の上側半分の中下部の壁面が、溝状冷却水流路の中下部のシリンダボア側の全壁面１７のうちの一方の片側半分の壁面１７ａであり、下側半分の中下部の壁面が、溝状冷却水流路のシリンダボア側の全壁面１７のうちの他方の片側半分の壁面１７ｂである。
【００３０】
シリンダボア壁の保温具２０は、例えば、図１１〜図１５に示す方法により製造される。なお、本発明のシリンダボア壁の保温具は、以下に示す方法により製造されるものに限定されるものではない。
【００３１】
先ず、図１１に示す矩形の金属板３０から、点線で示す切り落とし部分３１及び３２を切り落とし、図１２に示す成形前の金属基体部材２１を作製する。金属基体部材２１には、上側及び下側に、折り曲げ部２４が形成されており、中央部に、金属板バネ部材２３が、金属基体部材２１と一体になって形成されている。
【００３２】
次いで、図１３に示すように、成形前の金属基体部材２１を、ゴム部材２２の背面側（図１４に示すゴム部材２２の背面３３側）に沿う形状に成形する。
【００３３】
次いで、図１４に示すように、接触面２５側が溝状冷却水流路１４の中下部のシリンダボア側の壁面１７に沿う形状に成形されたゴム部材２２と、成形後の金属基体部材２１を合わせる。
【００３４】
次いで、図１５に示すように、折り曲げ部２４をゴム部材側に折り曲げて、折り曲げ部２４と金属基体部材２１とでゴム部材２２を挟み込むことにより、金属基体部材２１にゴム部材２２を固定する。また、金属板バネ部材２３を折り曲げる。なお、図１５中、二点鎖線で囲んだ部分Ａに、折り曲げ部２４及び金属バネ部材２３を折り曲げる前の位置を、点線で示した。
【００３５】
本発明のシリンダボア壁の保温具は、シリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、からなるか、又は一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴するシリンダボア壁の保温具である。
【００３６】
本発明のシリンダボア壁の保温具としては、以下に示す本発明の第一の形態のシリンダボア壁の保温具、本発明の第二の形態のシリンダボア壁の保温具が挙げられる。
【００３７】
本発明の第一の形態のシリンダボア壁の保温具（以下、本発明のシリンダボア壁の保温具（１）とも記載する。）は、３つ以上のシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなり、
該金属基体部材は、一端の端ボアのボア壁側から他端の端ボアのボア壁側まで繋がっており、
該弾性部材が、金属基体部材端ボア部及び金属基体部材中間ボア部の各ボア部毎に、１つ以上付設されていること、
を特徴するシリンダボア壁の保温具である。
【００３８】
また、第二の形態のシリンダボア壁の保温具（以下、本発明のシリンダボア壁の保温具（２）とも記載する。）は、２つのシリンダボアを有する内燃機関のシリンダブロックの溝状冷却水流路の中下部に設置され、全シリンダボアのボア壁のうちの片側半分のボア壁を保温するためのシリンダボア壁の保温具であり、
溝状冷却水流路の中下部のシリンダボア側の全壁面のうちの片側半分側の壁面に接触し、接触面側の形状が溝状冷却水流路の中下部のシリンダボア側の壁面に沿う形状であるゴム部材と、該ゴム部材が固定される金属基体部材と、該金属基体部材に付設され、該溝状冷却水流路の中下部のシリンダボア側の壁面に向かって、該金属基体部材が該ゴム部材を押し付けるように付勢する弾性部材と、からなり、
該ゴム部材は、一端の端ボアのボア壁を保温するゴム部材端ボア部と、他端の端ボアのボア壁を保温するゴム部材端ボア部と、からなり、
該金属基体部材は、一端の端ボアのボア壁側から他端の端ボアのボア壁側まで繋がっており、
該弾性部材が、金属基体部材端ボア部毎に、１以上付設されていること、
を特徴するシリンダボア壁の保温具である。
【００３９】
本発明のシリンダボア壁の保温具（１）と本発明のシリンダボア壁の保温具（２）とは、保温具が設置されるシリンダブロックのシリンダボアの数が異なること以外は同様である。
【００４０】
本発明のシリンダボア壁の保温具（１）又は（２）は、内燃機関のシリンダブロックの溝状冷却水流路の中下部に設置される。本発明のシリンダボア壁の保温具（１）が設置されるシリンダブロックは、シリンダボアが直列に３つ以上並んで形成されているオープンデッキ型のシリンダブロックであるので、２つの端ボアと１つ以上の中間ボアとからなるシリンダボアを有している。また、本発明のシリンダボア壁の保温具（２）が設置されるシリンダブロックは、シリンダボアが直列に２つ並んで形成されているオープンデッキ型のシリンダブロックであるので、２つの端ボアからなるシリンダボアを有している。なお、本発明では、直列に並んだシリンダボアのうち、両端のボアを端ボアと呼び、両側が他のシリンダボアで挟まれているボアを中間ボアと呼ぶ。
【００４１】
本発明のシリンダボア壁の保温具（１）又は（２）が設置される位置は、溝状冷却水流路の中下部である。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。よって、溝状冷却水流路の最下部からどの位置までを本発明の保温具で保温するか、つまり、ゴム部材の上端の位置を溝状冷却水流路の上下方向のどの位置にするかは、適宜選択される。
【００４２】
ゴム部材は、溝状冷却水流路の中下部のシリンダボア側の壁面に接することにより、シリンダボア壁の中下部を保温する部材である。そのため、このゴム部材の接触面側の形状は、溝状冷却水流路の中下部のシリンダボア側の壁面に沿う形状である。そして、本発明のシリンダボア壁の保温具（１）又は（２）が、溝状冷却水流路の中下部に設置されることにより、弾性部材が金属基体部材を押し、そのことにより、ゴム部材は、接触面側（金属基体部材側とは反対側の面側）が、溝状冷却水流路の中下部のシリンダボア側の壁面に接し、押し付けられる。
【００４３】
ゴム部材の材質としては、例えば、ソリッドゴム、膨張ゴム、発泡ゴム、軟性ゴム等のゴム、シリコーン系ゲル状素材等が挙げられる。そして、ゴム部材の材質としては、シリンダボア壁の保温具を溝状冷却水流路内に設置するときに、ゴム部材がシリンダボア壁に強く接触して、ゴム部材が削られるのを防ぐことができる点で、シリンダボア壁の保温具の設置後に、溝状冷却水流路内でゴム部材部分を膨張させることができる感熱膨張ゴム又は水膨潤性ゴムが好ましい。
【００４４】
ソリッドゴムの組成としては、天然ゴム、ブタジエンゴム、エチレンプロピレンジエンゴム（ＥＰＤＭ）、ニトリルブタジエンゴム（ＮＢＲ）、シリコーンゴム、フッ素ゴム等が挙げられる。
【００４５】
膨張ゴムとしては、感熱膨張ゴムが挙げられる。感熱膨張ゴムは、ベースフォーム材にベースフォーム材より融点が低い熱可塑性物質を含浸させ圧縮した複合体であり、常温では少なくともその表層部に存在する熱可塑性物質の硬化物により圧縮状態が保持され、且つ、加熱により熱可塑性物質の硬化物が軟化して圧縮状態が開放される材料である。感熱膨張ゴムとしては、例えば、特開２００４−１４３２６２号公報に記載の感熱膨張ゴムが挙げられる。ゴム部材の材質が感熱膨張ゴムの場合は、本発明のシリンダボア壁の保温具が溝状冷却水流路の中下部に設置され、感熱膨張ゴムに熱が加えられることで、感熱膨張ゴムが膨張して、所定の形状に膨張変形する。
【００４６】
感熱膨張ゴムに係るベースフォーム材としては、ゴム、エラストマー、熱可塑性樹脂、熱硬化性樹脂等の各種高分子材料が挙げられ、具体的には、天然ゴム、クロロプロピレンゴム、スチレンブタジエンゴム、ニトリルブタジエンゴム、エチレンプロピレンジエン三元共重合体、シリコーンゴム、フッ素ゴム、アクリルゴム等の各種合成ゴム、軟質ウレタン等の各種エラストマー、硬質ウレタン、フェノール樹脂、メラミン樹脂等の各種熱硬化性樹脂が挙げられる。
【００４７】
感熱膨張ゴムに係る熱可塑性物質としては、ガラス転移点、融点又は軟化温度のいずれかが１２０℃未満であるものが好ましい。感熱膨張ゴムに係る熱可塑性物質としては、ポリエチレン、ポリプロピレン、ポリスチレン、ポリ塩化ビニル、ポリ塩化ビニリデン、ポリ酢酸ビニル、ポリアクリル酸エステル、スチレンブタジエン共重合体、塩素化ポリエチレン、ポリフッ化ビニリデン、エチレン酢酸ビニル共重合体、エチレン酢酸ビニル塩化ビニルアクリル酸エステル共重合体、エチレン酢酸ビニルアクリル酸エステル共重合体、エチレン酢酸ビニル塩化ビニル共重合体、ナイロン、アクリロニトリルブタジエン共重合体、ポリアクリロニトリル、ポリ塩化ビニル、ポリクロロプレン、ポリブタジエン、熱可塑性ポリイミド、ポリアセタール、ポリフェニレンサルファイド、ポリカーボネート、熱可塑性ポリウレタン等の熱可塑性樹脂、低融点ガラスフリット、でんぷん、はんだ、ワックス等の各種熱可塑性化合物が挙げられる。
【００４８】
また、膨張ゴムとしては、水膨潤性ゴムが挙げられる。水膨潤性ゴムは、ゴムに吸水性物質が添加された材料であり、水を吸収して膨潤し、膨張した形状を保持する保形性を有するゴム材である。水膨潤性ゴムとしては、例えば、ポリアクリル酸中和物の架橋物、デンプンアクリル酸グラフト共重合体架橋物、架橋カルボキシメチルセルロース塩、ポリビニルアルコール等の吸水性物質がゴムに添加されたゴム材が挙げられる。また、水膨潤性ゴムとしては、例えば、特開平９−２０８７５２号公報に記載されているケチミン化ポリアミド樹脂、グリシジルエーテル化物、吸水性樹脂及びゴムを含有する水膨潤性ゴムが挙げられる。ゴム部材の材質が水膨潤性ゴムの場合は、本発明のシリンダボア壁の保温具が溝状冷却水流路の中下部に設置され冷却水が流されて、水膨潤性ゴムが水を吸収することで、水膨潤性ゴムが膨張して所定の形状に膨張変形する。
【００４９】
発泡ゴムは、多孔質のゴムである。発泡ゴムとしては、連続気泡構造を有するスポンジ状の発泡ゴム、独立気泡構造を有する発泡ゴム、半独立発泡ゴム等があげられる。発泡ゴムの材質としては、具体的には、例えば、エチレンプロピレンジエン三元共重合体、シリコーンゴム、ニトリルブタジエン共重合体、シリコーンゴム、フッ素ゴム等が挙げられる。発泡ゴムの発泡率は、特に制限されず、適宜選択され、発泡率を調節することにより、ゴム部材の含水率を調節することができる。なお、発泡ゴムの発泡率とは、（（発泡前密度−発泡後密度）／発泡前密度）×１００で表される発泡前後の密度割合を指す。
【００５０】
ゴム部材の材質が水膨潤性ゴム、発泡ゴムのように、含水することができる材料の場合、本発明のシリンダボア壁の保温具が、溝状冷却水流路内に設置され、溝状冷却水流路に冷却水が流されたときに、ゴム部材が含水する。溝状冷却水流路に冷却水が流されたときに、ゴム部材の含水率を、どのような範囲とするかは、内燃機関の運転条件等により、適宜選択される。なお、含水率とは、（冷却水重量／（充填剤重量＋冷却水重量））×１００で表される重量含水率を指す。
【００５１】
ゴム部材の厚みは、特に制限されず、適宜選択される。
【００５２】
金属基体部材は、ゴム部材が固定される部材である。この金属基体部材は、弾性部材の変形により生じる弾性力により押されることにより、ゴム部材を溝状冷却水流路の中下部のシリンダボア側の壁面に均一に押し付ける部材である。そのため、金属基体部材の形状は、ゴム部材の背面側（接触面とは反対側の面側）に沿う形状である。
【００５３】
金属基体部材の材質としては、特に制限されないが、耐ロングライフクーラント性（以下、「耐ＬＬＣ性」と言う。）が良く及び強度が高い点で、ステンレス鋼（ＳＵＳ）、アルミニウム合金等が好ましい。金属基体部材の厚みは、特に制限されず、適宜選択される。
【００５４】
図４に示すシリンダボア壁の保温具２０では、ゴム部材は、金属基体部材の上側及び下側に形成された折り曲げ部を、ゴム部材側に折り曲げ、折り曲げ部と金属基体部材でゴム部材を挟み込むことにより、金属基体部材に固定されているが、ゴム部材の金属基体部材への固定方法は、特に制限されない。他の固定方法としては、例えば、ゴム部材を金属基体部材に加熱融着させる方法、ゴム部材を金属基体部材に接着剤を用いて接着させる方法、金属基体部材に突起部を設け、その突起部をゴム部材に嵌入させる方法等が挙げられる。
【００５５】
本発明のシリンダボア壁の保温具（１）では、ゴム部材は、一端の端ボアのボア壁を保温するためのゴム部材端ボア部と、他端の端ボアのボア壁を保温するためのゴム部材端ボア部と、１つ以上の中間ボアの各ボア壁を保温するためのゴム部材中間ボア部と、からなる。本発明のシリンダボア壁の保温具（１）が設置される壁面、すなわち、シリンダブロックの溝状冷却水流路の中下部のシリンダボア側の全壁面のうちの片側半分側の壁面には、一端の端ボア側の壁面と、他端の端ボア側の壁面と、１つ以上の中間ボア側の壁面がある。本発明のシリンダボア壁の保温具（１）において、ゴム部材は、一端の端ボア側の壁面、他端の端ボア側の壁面及び１つ以上の中間ボア側の壁面の各壁面に接触する部位を有している。
【００５６】
本発明のシリンダボア壁の保温具（２）では、ゴム部材は、一端の端ボアのボア壁を保温するためのゴム部材端ボア部と、他端の端ボアのボア壁を保温するためのゴム部材端ボア部と、からなる。本発明のシリンダボア壁の保温具（２）が設置される壁面、すなわち、シリンダブロックの溝状冷却水流路の中下部のシリンダボア側の全壁面のうちの片側半分側の壁面は、一端の端ボア側の壁面と、他端の端ボア側の壁面がある。本発明のシリンダボア壁の保温具（２）において、ゴム部材は、一端の端ボア側の壁面及び他端の端ボア側の壁面の各壁面に接触する部位を有している。
【００５７】
図４に示す形態例では、一端の端ボアのボア壁を保温するためのゴム部材端ボア部と、１つ以上の中間ボアの各ボア壁を保温するためのゴム部材中間ボア部と、他端の端ボアのボア壁を保温するためのゴム部材端ボア部と、が連続しているが、本発明は、これに制限されるものではない。本発明のシリンダボア壁の保温具（１）の他の形態例としては、例えば、図１６に示す形態例のように、ゴム部材が、各ボア壁側毎に分割されている形態例が挙げられる。また、本発明のシリンダボア壁の保温具の他の形態例としては、図１６に示す形態例の各ボア壁側毎に付設されているゴム部材が、更に、複数に分割されている形態例が挙げられる。このように、本発明のシリンダボア壁の保温具（１）では、一端の端ボアのボア壁を保温するためのゴム部材端ボア部と、１つ以上の中間ボアの各ボア壁を保温するためのゴム部材中間ボア部と、他端の端ボアのボア壁を保温するためのゴム部材端ボア部とが、連続していてもよいし、あるいは、連続していなくてもよい。そして、本発明のシリンダボア壁の保温具（１）では、一端の端ボアのボア壁を保温するためのゴム部材端ボア部と、１つ以上の中間ボアの各ボア壁を保温するためのゴム部材中間ボア部と、他端の端ボアのボア壁を保温するためのゴム部材端ボア部とが、連続していることが、シリンダボア壁の保温具が、溝状冷却水流路内で、振動や冷却水の流れによる位置ずれを起こし難くなる点で好ましい。また、本発明のシリンダボア壁の保温具（２）においても同様であり、本発明のシリンダボア壁の保温具（２）では、一端の端ボアのボア壁を保温するためのゴム部材端ボア部と、他端の端ボアのボア壁を保温するためのゴム部材端ボア部とが、連続していてもよいし、あるいは、連続していなくてもよい。そして、本発明のシリンダボア壁の保温具（２）では、一端の端ボアのボア壁を保温するためのゴム部材端ボア部と、他端の端ボアのボア壁を保温するためのゴム部材端ボア部とが、連続していることが、シリンダボア壁の保温具が、溝状冷却水流路内で、振動や冷却水の流れによる位置ずれを起こし難くなる点で好ましい。
【００５８】
なお、本発明のシリンダボア壁の保温具（１）又は（２）において、ゴム部材は、溝状冷却水流路の中下部の片側半分側のシリンダボア側の壁面の全て隈なく覆うものであってもよいし、あるいは、溝状冷却水流路の中下部の片側半分側のシリンダボア側の壁面の一部であって且つシリンダボア壁の中下部の保温のために必要な箇所のみを覆うものであってもよい。
【００５９】
本発明のシリンダボア壁の保温具（１）では、金属基体部材は、一端の端ボアのボア壁側から他端の端ボアのボア壁側まで繋がっている。つまり、本発明のシリンダボア壁の保温具（１）では、金属基体部材は、一端の端ボアのボア壁側の金属基体部材端ボア部と、１つ以上の中間ボアの各ボア壁側の金属基体部材中間ボア部と、他端の端ボアのボア壁側の金属基体部材端ボア部と、が繋がっている。図４に示す形態例では、金属基体部材は、一端の端ボアのボア壁側の金属基体部材端ボア部と、１つ以上の中間ボアの各ボア壁側の金属基体部材中間ボア部と、他端の端ボアのボア壁側の金属基体部材端ボア部とが、１つの金属板で形成されているが、本発明は、これに限定されるものではなく、金属基体部材は、一端の端ボアのボア壁側の金属基体部材端ボア部と、１つ以上の中間ボアの各ボア壁側の金属基体部材中間ボア部と、他端の端ボアのボア壁側の金属基体部材端ボア部とが繋がっていれば、１つの金属板で形成されたものであっても、複数の金属板が繋ぎ合わされたものであってもよい。また、本発明のシリンダボア壁の保温具（２）においても同様であり、本発明のシリンダボア壁の保温具（２）では、金属基体部材は、一端の端ボアのボア壁側から他端の端ボアのボア壁側まで繋がっている。つまり、本発明のシリンダボア壁の保温具（２）では、金属基体部材は、一端の端ボアのボア壁側の金属基体部材端ボア部と、他端の端ボアのボア壁側の金属基体部材端ボア部と、が繋がっている。そして、本発明のシリンダボア壁の保温具（２）では、金属基体部材は、一端の端ボアのボア壁側の金属基体部材端ボア部と、他端の端ボアのボア壁側の金属基体部材端ボア部とが繋がっていれば、１つの金属板で形成されたものであっても、複数の金属板が繋ぎ合わされたものであってもよい。
【００６０】
弾性部材は、金属基体部材に付設されている。この弾性部材は、本発明のシリンダボア壁の保温具が溝状冷却水流路の中下部に設置されることにより、弾性変形し、溝状冷却水流路の中下部のシリンダボア側の壁面に向かって、金属基体部材がゴム部材を押し付けるように付勢するための部材である。
【００６１】
本発明のシリンダボア壁の保温具（１）では、弾性部材は、金属基体部材端ボア部及び金属基体部材中間ボア部の各ボア部毎に、１つ以上付設されている。つまり、本発明のシリンダボア壁の保温具を上側から見たときに、金属基体部材端ボア部及び金属基体部材中間ボア部の各ボア部の円弧方向の少なくとも１箇所に、弾性部材が付設されている。そして、弾性部材の設置数は、本発明のシリンダボア壁の保温具を上側から見たときに、金属基体部材端ボア部及び金属基体部材中間ボア部の各ボア部の円弧方向に、２箇所以上が好ましく、３箇所以上が特に好ましい。なお、図４に示すシリンダボア壁の保温具２０では、弾性部材は、端ボア部では円弧方向に３箇所付設されており、中間ボア部では円弧方向に２箇所付設されている。
【００６２】
また、本発明のシリンダボア壁の保温具（２）では、弾性部材は、金属基体部材端ボア部毎に、１つ以上付設されている。つまり、本発明のシリンダボア壁の保温具を上側から見たときに、一端の端ボア側の金属基体部材端ボア部及び他端の端ボア側の金属基体部材端ボア部の各端ボア部の円弧方向の少なくとも１箇所に、弾性部材が付設されている。そして、弾性部材の設置数は、本発明のシリンダボア壁の保温具を上側から見たときに、各金属基体部材端ボア部の円弧方向に、２箇所以上が好ましく、３箇所以上が特に好ましい。
【００６３】
弾性部材の形態は、特に制限されず、例えば、板状の弾性部材、コイル状の弾性部材、重ね板バネ、トーションバネ、弾性ゴム等が挙げられる。弾性部材の材質は、特に制限されないが、耐ＬＬＣ性が良く及び強度が高い点で、ステンレス鋼（ＳＵＳ）、アルミニウム合金等が好ましい。弾性部材としては、金属板バネ、コイルバネ、重ね板バネ、トーションバネ等の金属弾性部材が好ましい。
【００６４】
本発明のシリンダボア壁の保温具では、溝状冷却水流路の中下部に設置されたときに、弾性部材により、ゴム部材が適切な押し付け力で付勢されるように、溝状冷却水流路の形状等に合わせて、弾性部材の形態、形状、大きさ、設置位置、設置数等が、適宜選択される。
【００６５】
図４に示すシリンダボア壁の保温具２０では、弾性部材は、金属基体部材と一体成形されることにより、付設されているが、金属基体部材に弾性部材を付設する方法は、特に制限されない。他の方法としては、例えば、金属板バネ、金属コイルバネ、重ね板バネ又はトーションバネ等の金属製の弾性部材を金属基体部材に溶接する方法等が挙げられる。図２０に示す形態例では、切り落とし部分がない金属基体部材５１に、縦長の矩形の金属板からなる金属板バネ５３ａが、溶接されている。また、他の方法としては、図２１に示す形態例のように、切り落とし部分がない金属基体部材５１と、金属板バネ５３ｂが形成されるように切り落とし部分が切り落とされている金属板バネ付設用部材５４とを作製し、これらをゴム部材２２に重ね合わせて、折り曲げ部５５ａ及び５５ｂを折り曲げることにより、ゴム部材２２に金属基体部材５１を固定すると共に、ゴム部材２２に金属基体部材５１側から弾性部材である金属板バネ５３ｂを固定して、金属基体部材に弾性部材を付設する方法が挙げられる。
【００６６】
本発明のシリンダボア壁の保温具（１）又は（２）は、シリンダブロックの冷却水供給口の近傍の位置に付設され、外部から供給される冷却水が、溝状冷却水流路の上部に流れ込むように、冷却水の流れを調節するための冷却水流れ調節部材を有することができる。このような冷却水流れ調節部材としては、例えば、図１７に示す形態例が挙げられる。図１７は、冷却水流れ調節部材の形態例を示す模式的な斜視図である。図１７中、冷却水流れ調節部材４２は、溝状冷却水流路の中下部への冷却水の流れをせき止めるせき止め部４１と、外から供給される冷却水が、溝状冷却水流路の中下部から上部へ向けて流れるようにするためのスロープ部材４０と、を有する。そして、この冷却水流れ調節部材４２は、本発明のシリンダボア壁の保温具（１）又は（２）の冷却水の供給口の近傍の位置に付設される。冷却水流れ調節部材４２では、せき止め部材４１が、溝状冷却水流路の中下部の流れを抑制し、且つ、スロープ部４０が、外部から供給される冷却水を、溝状冷却水流路の上部へ押し上げることにより、外部から供給される冷却水を上部に流れ込ませる機能を果たす。そして、本発明のシリンダボア壁の保温具（１）又は（２）が、冷却水流れ調節部材を有することが、シリンダボア壁の中下部の保温することに加え、シリンダボア壁の上部の冷却効率を高めることができ、シリンダボア壁の上部の膨張によるピストンの振動を防ぐ効果が高まる点で、好ましい。
【００６７】
本発明のシリンダボア壁の保温具（１）又は（２）が、外部から供給される冷却水が、溝状冷却水流路の上部に流れ込むように、冷却水の流れを調節するために付設される冷却水流れ調節部材を有する場合に、更に、本発明のシリンダボア壁の保温具（１）又は（２）の上部に、冷却水の流れ方向に亘って付設され、溝状冷却水流路の上部を流れる冷却水が、中下部に流れ込むのを抑制するための横リブを有することができる。図１８には、横リブを有する形態例を示す。図１８中、シリンダボア壁の保温具２０には、ゴム部材２２が固定されている側とは反対側の金属基体部材２１の上部に、その略全体に亘って、言い換えると、冷却水の流れ方向に延長する横リブ４３が付設されている。図１８に示す形態例では、溝状冷却水流路の上部と中下部との境に、横リブ４３が付設されているので、溝状冷却水流路の上部を流れる冷却水が、中下部に流れ込むのが抑制される。
【００６８】
本発明のシリンダボア壁の保温具（１）又は（２）が、外部から供給される冷却水が、溝状冷却水流路の上部に流れ込むように、冷却水の流れを調節するために付設される冷却水流れ調節部材を有する場合に、更に、本発明のシリンダボア壁の保温具（１）又は（２）の上下方向に亘って付設され、溝状冷却水流路の中下部を流れる冷却水の流れを抑制するための縦リブを有することができる。図１９には、縦リブを有する形態例を示す。図１９中、シリンダボア壁の保温具２０には、ゴム部材２２が固定されている側とは反対側の金属基体部材２１の上下方向に亘って、横リブ４４が付設されている。図１９に示す形態例では、横リブ４４により、溝状冷却水流路の中下部を流れる冷却水の流れが抑制される。横リブの付設数は、適宜選択される。
【００６９】
本発明の第一の形態の内燃機関は、溝状冷却水流路の中下部のシリンダボア側の全壁面のうちの一方の片側半分側の壁面と他方の片側半分側の壁面の両方に、本発明のシリンダボア壁の保温具（１）又は（２）が設置されていることを特徴とする内燃機関である。本発明の第一の形態の内燃機関は、シリンダボア壁の保温具で、シリンダボア壁の中下部の全体を保温する形態である。
【００７０】
本発明の第二の形態の内燃機関は、溝状冷却水流路の中下部のシリンダボア側の全壁面のうちのいずれか一方の片側半分側の壁面のみに、本発明のシリンダボア壁の保温具（１）又は（２）が設置されていることを特徴とする内燃機関である。本発明の第二の形態の内燃機関は、溝状冷却水流路の中下部のうちのいずれか一方の片側半分側にのみ、シリンダボア壁の保温具を設け、もう片側半分側の溝状冷却水流路の中下部には、シリンダボア壁の保温具を設けないことにより、溝状冷却水流路の中下部のシリンダボア側の全壁面のうちの一方の片側半分側の壁面のみを、シリンダボア壁の保温具で保温する形態である。
【００７１】
本発明の自動車は、本発明の第一の形態又は第二の形態の内燃機関を有することを特徴とする自動車である。
【００７２】
溝状冷却水流路の中下部のシリンダボア側の全壁面を１つの保温具で保温する場合、言い換えると、溝状冷却水流路の中下部のシリンダボア側の全壁面を囲むように保温部が形成されている保温具の場合、保温具を、溝状冷却水流路の中下部のシリンダボア側の特定の壁面側に押し付けて、密着させようとすると、保温具が反対側の溝状冷却水流路の中下部のシリンダボア側の壁面側まで繋がっているために、反対側の溝状冷却水流路の中下部のシリンダボア側の壁面から、保温具が離れてしまう。
【００７３】
それに対して、本発明のシリンダボア壁の保温具（１）又は（２）は、溝状冷却水流路の中下部のシリンダボア側の全壁面のうちの片側半分の壁面用の保温具なので、反対側の片側半分の壁面を保温するための本発明のシリンダボア壁の保温具（１）又は（２）とは、繋がっていない。そのため、本発明のシリンダボア壁の保温具（１）又は（２）を、溝状冷却水流路の中下部のシリンダボア側の片側半分の壁面に密着させるために、壁面に向かって押し付けても、反対側の片側半分の壁面を保温するために設置された本発明のシリンダボア壁の保温具（１）又は（２）には、反対側の溝状冷却水流路の中下部のシリンダボア側の壁面から離すような力が生じることはない。このことから、本発明のシリンダボア壁の保温具（１）又は（２）を、溝状冷却水流路の中下部のシリンダボア側の壁面に強く押し付けることができるので、本発明のシリンダボア壁の保温具（１）又は（２）は、溝状冷却水流路内で、振動や冷却水の流れによる位置ずれを起こし難い。更に、本発明のシリンダボア壁の保温具（１）又は（２）は、金属基体部材が、各ボア部毎に分断されているのではなく、全てが繋がっているので、本発明のシリンダボア壁の保温具（１）又は（２）は、溝状冷却水流路内で、振動や冷却水の流れによる位置ずれを起こし難い。また、本発明のシリンダボア壁の保温具（１）又は（２）では、弾性部材が、金属基体部材端ボア部及び金属基体部材中間ボア部の各ボア部毎に、１つ以上付設されているので、ゴム部材が、溝状冷却水流路の中下部のシリンダボア側の片側半分側の壁面の全体に、まんべんなく押し付けられる。そして、本発明のシリンダボア壁の保温具は、シリンダボア壁の中下部を保温するので、シリンダボア壁の壁温の均一性が高くなる。
【産業上の利用可能性】
【００７４】
本発明によれば、内燃機関のシリンダボア壁の上側と下側との変形量の違いを少なくすることができるので、ピストンの摩擦を低くすることができるため、省燃費の内燃機関を提供できる。
【符号の説明】
【００７５】
８                最下部
９                最上部
１０              中間近傍の位置
１１              シリンダブロック
１２              ボア
１２ａ１、１２ａ２  端ボア
１２ｂ１、１２ｂ２  中間ボア
１３              シリンダボア壁
１４              溝状冷却水流路
１５              冷却水供給口
１６              冷却水排出口
１７              シリンダボア壁１３の溝状冷却水流路１４側の壁面
１７ａ、１７ｂ    片側半分側の壁面
１８              シリンダボア壁１３とは反対側の溝状冷却水流路１４の壁面
２０              シリンダボア壁の保温具
２１              金属基体部材
２２              ゴム部材
２３              金属板バネ部材
２４              折り曲げ部
２５              接触面
２６              一端
２７              他端
３０              金属板
３１、３２        切り落とし部分
３３              背面
３５              ゴム部材端ボア部
３６              ゴム部材中間ボア部
３７              金属基体部材端ボア部
３８              金属基体部材中間ボア部
４０              スロープ部
４１              せき止め部
４２              冷却水流れ調節部材
４３              横リブ
４４              縦リブ
【図１】
2015203312.tif 000003
【図２】
2015203312.tif 000004
【図３】
2015203312.tif 000005
【図４】
2015203312.tif 000006
【図５】
2015203312.tif 000007
【図６】
2015203312.tif 000008
【図７】
2015203312.tif 000009
【図８】
2015203312.tif 000010
【図９】
2015203312.tif 000011
【図１０】
2015203312.tif 000012
【図１１】
2015203312.tif 000013
【図１２】
2015203312.tif 000014
【図１３】
2015203312.tif 000015
【図１４】
2015203312.tif 000016
【図１５】
2015203312.tif 000017
【図１６】
2015203312.tif 000018
【図１７】
2015203312.tif 000019
【図１８】
2015203312.tif 000020
【図１９】
2015203312.tif 000021
【図２０】
2015203312.tif 000022
【図２１】
2015203312.tif 000023